(57)【要約】【課題】  点灯部の点灯色仕様が異なる複数の表示装置間で、同一仕様の回路基板を使用することにより、表示装置の開発、製造コストを削減することができる表示装置を提供する。【解決手段】  点灯部２０を備えた表示板３０と、表示板３０の点灯部２０を点灯する第一の光源４１と第二の光源４３を駆動する第一，第二の回路パターンと、制御素子４５を有する回路基板４０とを備え、点灯部２０の点灯色に応じて第一，第二の回路パターンのうち少なくとも一方に必要な部品を装着する表示装置。第一の光源による点灯色は赤，青，緑の複合色または単色からなる所定の点灯色であり、第二の光源による点灯色は単色からなる所定の点灯色である。【選択図】  図２
2016010988.tif 000002
【特許請求の範囲】
【請求項１】
点灯部を備えた表示板と、前記点灯部を照明する第一の光源及び第二の光源の少なくとも一方を搭載した回路基板と、を備え、
前記回路基板は、前記第一の光源を駆動する第一の照明駆動回路に対応する第一の回路パターンと、前記第二の光源を駆動する第二の照明駆動回路に対応する第二の回路パターンと、を有することを特徴とする表示装置。
【請求項２】
前記第一の光源は、赤，緑，青の単色で発光する複数の光源群を一つの部品に収め、赤，青，緑の単色またはその混合色からなる所定の点灯色を発し、前記第二の光源は、単色からなる所定の点灯色を発することを特徴とする請求項１に記載の表示装置。
【発明の詳細な説明】
【技術分野】
【０００１】
本発明は、回路基板を共通化可能とした表示装置に関するものである。
【背景技術】
【０００２】
複数の単色光源のいずれかからの単色光、又は複数の単色光源からの光が混合された混合光による所定の点灯色で、表示板に設けた点灯部を点灯する車両用表示装置が提案されており、例えば特許文献１に開示されている。
【先行技術文献】
【特許文献】
【０００３】
【特許文献１】特開２０１２−２５４７９１号公報
【発明の概要】
【発明が解決しようとする課題】
【０００４】
斯かる車両用表示装置は、搭載される車種またはグレードの相違により、表示板に設けた点灯部の点灯色が混合光によるものと単色光によるものとの仕様差があり、光源に関する配線パターンが異なるため、従来は別仕様の回路基板を用いていたため、車両用表示装置の開発、製造コストを削減することが課題となっていた。
【０００５】
本発明は、表示板に設けた点灯部の点灯色仕様が異なる表示装置間で、同一仕様の回路基板を使用する表示装置を提供するものである。
【課題を解決するための手段】
【０００６】
本発明は、点灯部を備えた表示板と、前記点灯部を照明する第一の光源及び第二の光源の少なくとも一方を搭載した回路基板と、を備え、前記回路基板は、前記第一の光源を駆動する第一の照明駆動回路に対応する第一の回路パターンと、前記第二の光源を駆動する第二の照明駆動回路に対応する第二の回路パターンと、を有することを特徴とすることを特徴とする。
【０００７】
また、本発明は、前記第一の光源は、赤，緑，青の単色で発光する複数の光源群を一つの部品に収め、赤，青，緑の単色またはその混合色からなる所定の点灯色を発し、前記第二の光源は、単色からなる所定の点灯色を発することを特徴とする。
【発明の効果】
【０００８】
表示板に設けた点灯部の点灯色仕様が異なる複数の表示装置間で、同一仕様の回路基板を使用することにより、表示装置の開発、製造コストを削減することができる。
【図面の簡単な説明】
【０００９】
【図１】本発明の一実施形態を示す表示装置ＡまたはＢの前面図。
【図２】表示装置Ａにおける図１のａ−ａ断面図。
【図３】表示装置Ｂにおける図１のａ−ａ断面図。
【図４】同実施形態による表示装置Ａのシステム構成を示すブロック図。
【図５】同実施形態による表示装置Ｂのシステム構成を示すブロック図。
【発明を実施するための形態】
【００１０】
以下、添付図面を用いて、本発明の一実施形態を説明する。
【００１１】
表示装置Ａは、計器本体の指針軸の先端側に固着され、指針軸を中心に回転する指針１０と、この指針１０の背面側に位置し透過照明される目盛や数字や記号などからなる指標部が施され、点灯部２０を備えた表示板３０と、この表示板３０の背面側に位置する硬質の回路基板４０と、この回路基板４０上に設けられ、それぞれ指針１０を照明表示する光源である発光ダイオードと点灯部２０を赤，緑，青の単色又はその混合色からなる所定の点灯色で点灯する第一の光源である発光ダイオード４１と、第一の照明駆動回路４２と、照明領域を区画する反射板５１を備えた合成樹脂製の枠体からなるケース体５０と、で主に構成され、車両のインストルメントパネルに設けられる。
【００１２】
表示装置Ｂは、計器本体の指針軸の先端側に固着され、指針軸を中心に回転する指針１０と、この指針１０の背面側に位置し透過照明される目盛や数字や記号などからなる指標部が施され、点灯部２０を備えた表示板３０と、この表示板３０の背面側に位置する硬質の回路基板４０と、この回路基板４０上に設けられ、それぞれ指針１０を照明表示する光源である発光ダイオードと点灯部２０を単色からなる所定の点灯色で点灯する第二の光源である第二の発光ダイオード４３と、第二の照明駆動回路４４と、照明領域を区画する反射板５１を備えた合成樹脂製の枠体からなるケース体５０と、で主に構成され、車両のインストルメントパネルに設けられる。
【００１３】
回路基板４０は、計器本体や第一の光源である発光ダイオード４１又は第二の光源である発光ダイオード４３と電気的に接続され、表示装置Ａ又はＢの制御を行うためのマイクロコンピュータ等の制御素子４５を含む点灯部２０を点灯するための第一の照明駆動回路４２又は第二の照明駆動回路４４を実装し、ケース体５０に保持される。
【００１４】
回路基板４０には、外部コネクタが実装されており、車両側と電気的に接続される。表示装置Ａ，Ｂは、外部コネクタを介して電源や車両情報に関する信号等を入力し、これらの信号等を、制御素子４５を含む計器本体の駆動回路、第一の照明駆動回路４２又は第二の照明駆動回路４４により処理を行い、計器本体を駆動することにより指針１０による指示を行い、点灯部２０を所定の点灯色で点灯することができる。
【００１５】
回路基板４０は、表示装置Ａ，Ｂ両方の点灯色仕様を実現するために、第一の光源である複合色で発光可能な三色発光ダイオード４１を駆動する第一の照明駆動回路４２に対応した第一の回路パターン（図示せず）と、第二の光源である単色で発光する発光ダイオード４３を駆動する第二の照明駆動回路４４に対応した第二の回路パターン（図示せず）を備える。
また、本実施形態では、計器本体、指針軸、指針を備える構成を例示したが、液晶表示素子及び液晶表示パネルを備える構成にも適用できる。
【００１６】
表示板３０に設けた点灯部２０の点灯色仕様に応じて、第一，第二の光源の何れか一方が選択され、各光源に対応した第一，第二の回路パターン上に、第一の照明駆動回路４２又は第二の照明駆動回路４４の部品を装着する。
また、本実施形態では、光源として発光ダイオードを例示したが、その他の発光素子にも適用できる。
なお、第一，第二の回路パターン上に第一，第二の照明駆動回路及び発光素子の部品全てを装着し、点灯部２０の点灯色仕様に応じて第一，第二の照明駆動回路のうち何れか一方を点灯制御し、所定の点灯色で点灯する構成も適用できる。
【００１７】
このような構成によって、表示板３０に備えた点灯部２０の所定の点灯色が異なる表示装置に対して、共通の回路基板４０を用いることができる。したがって、表示装置の開発、製造にかかるコストを削減することができる。
【００１８】
なお、本発明の車両用計器を上述した実施形態の構成を例に挙げて説明したが、本発明はこれに限定されるものではなく、他の構成においても、本発明の要旨を逸脱しない範囲において種々の改良、並びに設計の変更が可能なことは言うまでもない。
【符号の説明】
【００１９】
１０    指針
２０    点灯部
３０    表示板
４０    回路基板
４１    発光素子
４２    照明駆動回路
４３    発光素子
４４    照明駆動回路
４５    制御素子
４６    インタフェース回路
５０    ケース体
５１    反射板
【図１】
2016010988.tif 000003
【図２】
2016010988.tif 000004
【図３】
2016010988.tif 000005
【図４】
2016010988.tif 000006
【図５】
2016010988.tif 000007